(57)【要約】【課題】家庭で使用されるレンジフードにおいて、風量−静圧特性、騒音特性を悪化させないこと、且つ油を効率よく回収することを目的とする。【解決手段】捕集部１の上面に吸込チャンバー２とファン３とモータ４で構成された送風装置５と、送風装置５と吸込チャンバー２を隔てる吸込壁７と、吸込壁７に送風装置５と吸込チャンバーを連通させる流入口とを備え、吸込チャンバー２の下部の断面積をその上部の断面積より大きく形成したことにより、捕集部１を薄型化にし、キッチンの収納スペースを確保しながらも、送風装置５内の圧力損失を最小限にすることにより気流のロスを減少させ、発生する騒音を低減し、送風装置５により油を効率良く回収するレンジフードが得られる。【選択図】図１
2006125827.tif 000002
【特許請求の範囲】
【請求項１】
油煙を集める捕集部と、この捕集部の下流側に備えた吸込口と連通し、前記捕集部の上側に配した吸込チャンバーと、この吸込チャンバーの下流側に位置し、ファンとモータを有する送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、前記吸込チャンバーの下部の断面積をその上部の断面積より大きく形成したことを特徴とするレンジフード。
【請求項２】
油煙を集める捕集部と、この捕集部の下流側に備えた吸込口と連通し、前記捕集部の上側に配した吸込チャンバーと、この吸込チャンバーの下流側に位置し、ファンとモータを含んで区画される送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、区画された前記送風装置の上部の断面積をその下部の断面積より大きく形成したことを特徴とするレンジフード。
【請求項３】
前記送風装置の前方に前記吸込チャンバーを配し、前記ファンをターボファンとし、前記モータのシャフト軸が前記吸込チャンバー側を下方に向けて傾斜していることを特徴とする請求項１または２に記載のレンジフード。
【請求項４】
前記送風装置の後方に前記吸込チャンバーを配し、前記ファンをターボファンとし、前記モータのシャフト軸が前記吸込チャンバー側を下方に向けて傾斜していることを特徴とする請求項１または２に記載のレンジフード。
【請求項５】
調理台の長手方向で前記捕集部の中心よりも外側に前記吸込チャンバーと前記送風装置を配し、前記捕集部のサイド側に前記送風装置を配するととも、前記ファンをターボファンとし、前記モータのシャフト軸が前記吸込チャンバー側を下方に向けて傾斜していることを特徴とする請求項１または２に記載のレンジフード。
【請求項６】
調理台の長手方向で前記捕集部の中心よりも外側に前記吸込チャンバーと前記送風装置を配し、前記捕集部のサイド側に前記吸込チャンバーを配するとともに、前記ファンをターボファンとし、前記モータのシャフト軸が前記吸込チャンバー側を下方に向けて傾斜していることを特徴とする請求項１または２に記載のレンジフード。
【請求項７】
前記ターボファンの主板に対する側板の側板角度と、水平面に対する前記シャフトの傾斜角度とが等しくなるように前記シャフト軸を傾斜したことを特徴とする請求項３〜６のいずれかに記載のレンジフード。
【請求項８】
前記ファンをターボファンとし、前記ターボファンの吸込口と反対側に、前記ターボファンの主板に対し平行にした風路整流板を設けることを特徴とする請求項１〜７のいずれかに記載のレンジフード。
【請求項９】
前記風路整流板に開口を設け、前記ターボファンの後段に前記開口と連通する吐出チャンバーを配したことにより、前記ターボファンから直接前記流出部へ排気する第一排気経路とターボファンから前記吐出チャンバーを経由して前記流出部へ排気する第二排気経路を有することを特徴とする請求項８に記載のレンジフード。
【請求項１０】
前記風路整流板に開口を設け、前記ターボファンの後段に前記開口と連通する吐出チャンバーを配したことにより、排気経路として前記ターボファンから前記吐出チャンバーを経由して前記流出部へ排気する経路のみを有することを特徴とする請求項８に記載のレンジフード。
【請求項１１】
前記吸込チャンバーと前記送風装置を含んで構成される送風ユニットの下部に傾斜面を設けたことを特徴とする請求項１〜１０のいずれかに記載のレンジフード。
【請求項１２】
前記ターボファンの周囲に２箇所以上の舌部と吹出口をもつケーシングを設けた構成とした請求項３〜１１のいずれかに記載のレンジフード。
【請求項１３】
前記吸込壁を、前記流入口に近い吸込口平面と前記流出部に近づくにつれ風路が広がる拡大面とで構成した請求項１〜１２のいずれかに記載のレンジフード。
【請求項１４】
前記吸込チャンバー内にファンの回転方向に湾曲する吸込ガイドをファンの外方に設けたことを特徴とする請求項１〜１３のいずれかに記載のレンジフード。
【請求項１５】
前記流入口の周囲に少なくとも一つの静翼部を設けたことを特徴とする請求項１〜１４のいずれかに記載のレンジフード。
【請求項１６】
前記ターボファンの後段に形成した吐出チャンバー内を少なくとも２つに分割する仕切部を設けたことを特徴とする請求項９、１０または１２に記載記載のレンジフード。
【請求項１７】
前記傾斜面の下側になるように段差面を設けたことを特徴とする請求項１１記載のレンジフード。
【請求項１８】
ターボファンからの動圧を出さないようにする動圧防止手段を備えた請求項１１記載のレンジフード。
【請求項１９】
前記送風装置内の前記傾斜面と前記送風装置の下側外壁を連通するように配設した油抜き穴を有し、前記送風装置内に突出した前記油抜き穴は、前記ファンの回転方向に対し内壁側覆いを有したことを特徴とする請求項１１記載のレンジフード。
【請求項２０】
前記送風装置内の前記段差面と前記送風装置の下側外壁を連通するように配設した油抜き穴を有し、前記送風装置内に突出した前記油抜き穴は、前記ファンの回転方向に対し内壁側覆いを有したことを特徴とする請求項１１記載のレンジフード。
【請求項２１】
前記送風装置の外壁に備えた前記油抜き穴が、前記ファンの反回転方向に外壁側覆いを有したことを特徴とする請求項１９または２０記載のレンジフード。
【請求項２２】
前記送風装置の外壁に備えた前記油抜き穴が、前記ファンの回転方向にガイドを有することを特徴とする請求項１９または２０記載のレンジフード。
【請求項２３】
前記送風装置に対し油抜き部を着脱自在な構造とした請求項１９または２２記載のレンジフード。
【請求項２４】
着脱の回転方向が一方向となる前記油抜き部とした請求項１９または２２記載のレンジフード。
【請求項２５】
ターボファンの遠心方向に対し、転向角を大きくする吸込手段を備えたことを特徴とする請求項１〜１６記載のレンジフード。
【請求項２６】
前記流入口に凸形状となる凸オリフィスを配設したことを特徴とする請求項１〜１６記載のレンジフード。
【請求項２７】
前記吸込壁の前記吐出チャンバー内に前記ファンの外径より大きい部分に円周状に凸部となる、戻り抑制部を配設したことを特徴とする請求項１〜１６記載のレンジフード。
【請求項２８】
前記凸オリフィスと前記側板の間に前記側板に対し一定のクリアランスを保つ、漏れ抑制部を配設したことを特徴とする請求項２７記載のレンジフード。
【請求項２９】
前記漏れ抑制部の最下部に前記凸オリフィスと前記吐出チャンバーを連通する開口部を設けたことを特徴とする請求項２８記載のレンジフード。
【発明の詳細な説明】
【技術分野】
【０００１】
本発明は、調理時に発生する廃ガス、油煙、臭気などを確実に屋外へ排出する吊戸棚の下方に取付け可能なレンジフードに関する。
【背景技術】
【０００２】
従来、この種のレンジフードは、住宅の梁寸法や天井高さ寸法等の制約の中で排気ダクトを設置するために本体の薄形化や配管時の圧力損失低減や調理時に発生する廃ガス、油煙、臭気の捕集効率の向上が求められている。このような課題に対し、種々考案されたものが知られている（例えば、特許文献１参照）。
【０００３】
以下、そのレンジフードの構成について図１６を参照しながら説明する。
【０００４】
図に示すように、送風ユニット１０２と外郭１０３とアダプタ１０４と整流板１０５で構成された本体１０１は、本体１０１の側部下方に傾斜面１０６を形成した側面板１０７を設け、本体１０１の下面に沿う形状の水平部１０８と、傾斜面１０６に沿う形状の傾斜部１０９を設け、本体１０１の幅より狭く前方と側方に吸気口１１０が形成され上面には本体１０１との間に吸気流路１１１が形成される整流板１０５を設け、側面板１０７の傾斜面１０６の高さ位置より本体１０１側寄りに整流板１０５の傾斜部１０９を配設した構成となっている。
【０００５】
以上のように構成されたレンジフードの動作について説明する。
【０００６】
本体１０１の後方側より前方側の吸気口１１０の吸い込み風速が大きくなり、整流板１０５に沿い上昇する油煙を効率良く捕集し、本体１０１の厚みを薄くすることができる。
【特許文献１】特開２００１−３０４６４２号公報
【発明の開示】
【発明が解決しようとする課題】
【０００７】
このような従来の［特許文献１］のレンジフードでは、捕集性能を確保しながら本体薄形化のため、送風機の吹出部とアダプタが近傍にあるために、アダプタの位置変更不可のため、アダプタよりＬ字配管による配管をしなければならなく、圧損増大により風量−静圧特性が悪化と騒音が上昇するという課題があり、また、風量−静圧特性を悪化させずにアダプタの位置を変更できるように送風機の吹出部とアダプタの間にチャンバーを設けることが可能だが、製品厚みが増大し収納スペースが減少するという課題があった。
【０００８】
本発明は、このような従来の課題を解決するもので、捕集部を薄型化し、収納スペース等を確保しつつ、風量−静圧特性、騒音特性を向上させることが要求されている。
【課題を解決するための手段】
【０００９】
本発明のレンジフードは上記目的を達成するために、油煙を集める捕集部と、この捕集部の下流側に備えた吸込口と連通し、前記捕集部の上側に配した吸込チャンバーと、この吸込チャンバーの下流側に位置し、ファンとモータを有する送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、前記吸込チャンバーの下部の断面積をその上部の断面積より大きく形成したことを特徴とする。
【００１０】
また、本発明のレンジフードは、油煙を集める捕集部と、この捕集部の下流側に備えた吸込口と連通し、前記捕集部の上側に配した吸込チャンバーと、この吸込チャンバーの下流側に位置し、ファンとモータを含んで区画される送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、区画された前記送風装置の上部の断面積をその下部の断面積より大きく形成したことを特徴とする。
【００１１】
また、本発明のレンジフードは、前記送風装置の前方に前記吸込チャンバーを配し、前記ファンをターボファンとし、前記モータのシャフト軸が前記吸込チャンバー側を下方に向けて傾斜していることを特徴とする。
【００１２】
また、本発明のレンジフードは、前記送風装置の後方に前記吸込チャンバーを配し、前記ファンをターボファンとし、前記モータのシャフト軸が前記吸込チャンバー側を下方に向けて傾斜していることを特徴とする。
【００１３】
また、本発明のレンジフードは、調理台の長手方向で前記捕集部の中心よりも外側に前記吸込チャンバーと前記送風装置を配し、前記捕集部のサイド側に前記送風装置を配するととも、前記ファンをターボファンとし、前記モータのシャフト軸が前記吸込チャンバー側を下方に向けて傾斜していることを特徴とする。
【００１４】
また、本発明のレンジフードは、調理台の長手方向で前記捕集部の中心よりも外側に前記吸込チャンバーと前記送風装置を配し、前記捕集部のサイド側に前記吸込チャンバーを配するとともに、前記ファンをターボファンとし、前記モータのシャフト軸が前記吸込チャンバー側を下方に向けて傾斜していることを特徴とする。
【００１５】
また、本発明のレンジフードは、前記ターボファンの主板に対する側板の側板角度と、水平面に対する前記シャフトの傾斜角度とが等しくなるように前記シャフト軸を傾斜したことを特徴とする。
【００１６】
また、本発明のレンジフードは、前記ファンをターボファンとし、前記ターボファンの吸込口と反対側に、前記ターボファンの主板に対し平行にした風路整流板を設けることを特徴とする。
【００１７】
また、本発明のレンジフードは、前記風路整流板に開口を設け、前記ターボファンの後段に前記開口と連通する吐出チャンバーを配したことにより、前記ターボファンから直接前記流出部へ排気する第一排気経路とターボファンから前記吐出チャンバーを経由して前記流出部へ排気する第二排気経路を有することを特徴とする。
【００１８】
また、本発明のレンジフードは、前記風路整流板に開口を設け、前記ターボファンの後段に前記開口と連通する吐出チャンバーを配したことにより、排気経路として前記ターボファンから前記吐出チャンバーを経由して前記流出部へ排気する経路のみを有することを特徴とする。
【００１９】
また、本発明のレンジフードは、前記吸込チャンバーと前記送風装置を含んで構成される送風ユニットの下部に傾斜面を設けたことを特徴とする。
【００２０】
また、本発明のレンジフードは、前記ターボファンの周囲に２箇所以上の舌部と吹出口をもつケーシングを設けた構成したことを特徴とする。
【００２１】
また、本発明のレンジフードは、前記吸込壁を、前記流入口に近い吸込口平面と前記流出部に近づくにつれ風路が広がる拡大面とで構成したことを特徴とする。
【００２２】
また、本発明のレンジフードは、前記吸込チャンバー内にファンの回転方向に湾曲する吸込ガイドをファンの外方に設けたことを特徴とする。
【００２３】
また、本発明のレンジフードは、前記流入口の周囲に少なくとも一つの静翼部を設けたことを特徴とする。
【００２４】
また、本発明のレンジフードは、前記ターボファンの後段に形成した吐出チャンバー内を少なくとも２つに分割する仕切部を設けたことを特徴とする。
【００２５】
また、本発明のレンジフードは、前記傾斜面の下側になるように段差面を設けたことを特徴とする。
【００２６】
また、本発明のレンジフードは、ターボファンからの動圧を出さないようにする動圧防止手段を備えたことを特徴とする。
【００２７】
また、本発明のレンジフードは、前記送風装置内の前記傾斜面と前記送風装置の下側外壁を連通するように配設した油抜き穴を有し、前記送風装置内に突出した前記油抜き穴は、前記ファンの回転方向に対し内壁側覆いを有したことを特徴とする。
【００２８】
また、本発明のレンジフードは、前記送風装置内の前記段差面と前記送風装置の下側外壁を連通するように配設した油抜き穴を有し、前記送風装置内に突出した前記油抜き穴は、前記ファンの回転方向に対し内壁側覆いを有したことを特徴とする。
【００２９】
また、本発明のレンジフードは、前記送風装置の外壁に備えた前記油抜き穴が、前記ファンの反回転方向に外壁側覆いを有したことを特徴とする。
【００３０】
また、本発明のレンジフードは、前記送風装置の外壁に備えた前記油抜き穴が、前記ファンの回転方向にガイドを有することを特徴とする。
【００３１】
また、本発明のレンジフードは、前記送風装置に対し前記油抜き穴を着脱自在な構造としたことを特徴とする。
【００３２】
また、本発明のレンジフードは、着脱の回転方向が一方向となる前記油抜き穴としたことを特徴とする。
【００３３】
また、本発明のレンジフードは、ターボファンの遠心方向に対し、転向角を大きくする吸込手段を備えたことを特徴とする。
【００３４】
また、本発明のレンジフードは、前記流入口に凸形状となる凸オリフィスを配設したことを特徴とする。
【００３５】
また、本発明のレンジフードは、前記吸込壁の前記吐出チャンバー内に前記ファンの外径より大きい部分に円周状に凸部となる、戻り抑制部を配設したことを特徴とする。
【００３６】
また、本発明のレンジフードは、前記凸オリフィスと前記側板の間に前記側板に対し一定のクリアランスを保つ、漏れ抑制部を配設したことを特徴とする。
【００３７】
また、本発明のレンジフードは、前記漏れ抑制部の最下部に前記凸オリフィスと前記吐出チャンバーを連通する開口部を設けたことを特徴とする。
【発明の効果】
【００３８】
本発明によれば、捕集部を薄型化し居住者に対し圧迫感を感じさせない形状にしつつ、風路の圧力損失を減少させ、風量−静圧特性、騒音特性を向上させることができるレンジフードを提供できる。
【００３９】
また、吸込チャンバー内での乱れを低減することにより、チャンバー内の油の付着を低減させつつ、風量−静圧特性、騒音特性を向上させることができるレンジフードを提供できる。
【００４０】
また、送風装置内のファンやモータ等を容易に取りやすい構造としたレンジフードを提供できる。
【００４１】
また、送風装置の内部で油が堆積することがないレンジフードを提供できる。
【００４２】
また、ファンからの風モレを少なくしつつ、送風装置の内部の油が円滑に送風装置外へ取り出すことが可能なレンジフードを提供できる。
【００４３】
また、油抜き穴のメンテナンスが容易にできるレンジフードを提供できる。
【００４４】
また、油抜き穴を意図した位置に取り付けることができるレンジフードを提供できる。
【００４５】
また、ファンによって昇圧された送風装置内の空気が吸込チャンバーへ戻ることを低減させることにより、風量−静圧特性、騒音特性を向上させることができるレンジフードを提供できる。
【発明を実施するための最良の形態】
【００４６】
本発明の請求項１に記載のレンジフードは、油煙を集める捕集部と、この捕集部の下流側に備えた吸込口と連通し、前記捕集部の上側に配した吸込チャンバーと、この吸込チャンバーの下流側に位置し、ファンとモータを有する送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、前記吸込チャンバーの下部の断面積をその上部の断面積より大きく形成したことを特徴とするものであり、吸込チャンバーの吸込口を最大にし流入風速を低減させ動圧を低減させ、流入口で吸引される空気に併せて吸込チャンバーの断面積を小さくし乱れを低減することにより、捕集部を薄型化し、収納スペース等を確保しつつ、風量−静圧特性、騒音特性を向上させることができる。
【００４７】
本発明の請求項２に記載のレンジフードは、油煙を集める捕集部と、この捕集部の下流側に備えた吸込口と連通し、前記捕集部の上側に配した吸込チャンバーと、この吸込チャンバーの下流側に位置し、ファンとモータを含んで区画される送風装置と、前記送風装置と前記吸込チャンバーを隔てる吸込壁と、前記吸込チャンバーと前記送風装置を連通させるために前記吸込壁に設けられる流入口と、この流入口と連通し前記送風装置によって吸引された空気が排気される流出部とを備え、区画された前記送風装置の上部の断面積をその下部の断面積より大きく形成したことを特徴とするものであり、ファンから流出部へのロスを低減させることにより送風装置を薄型化し、収納スペース等を確保しつつ、風量−静圧特性、騒音特性を向上させることができる。
【００４８】
本発明の請求項３は、請求項１または２記載のレンジフードにおいて、前記送風装置の前方に前記吸込チャンバーを配し、前記ファンをターボファンとし、前記モータのシャフト軸が前記吸込チャンバー側を下方に向けて傾斜していることを特徴とするものであり、ファンの停止時にファンに付着した油等がファンから流れ落ち易くなるとともに、メンテナンス時においてファンを取り外し易くすることができる。
【００４９】
本発明の請求項４は、請求項１または２記載のレンジフードにおいて、前記送風装置の後方に前記吸込チャンバーを配し、前記ファンをターボファンとし、前記モータのシャフト軸が前記吸込チャンバー側を下方に向けて傾斜していることを特徴とするものであり、ファンの停止時にファンに付着した油等がファンから流れ落ち易くなるのとともに、壁面にそって吸込口があるために捕集時において、背面の捕集が良化することができる。
【００５０】
本発明の請求項５は、請求項１または２記載のレンジフードにおいて、調理台の長手方向で前記捕集部の中心よりも外側に前記吸込チャンバーと前記送風装置を配し、前記捕集部のサイド側に前記送風装置を配するととも、前記ファンをターボファンとし、前記モータのシャフト軸が前記吸込チャンバー側を下方に向けて傾斜していることを特徴とするものであり、捕集部上面の空間を有効に活用することができるとともに、メンテナンス時においてファンを取り外し易くすることができる。
【００５１】
本発明の請求項６は、請求項１または２記載のレンジフードにおいて、調理台の長手方向で前記捕集部の中心よりも外側に前記吸込チャンバーと前記送風装置を配し、前記捕集部のサイド側に前記吸込チャンバーを配するとともに、前記ファンをターボファンとし、前記モータのシャフト軸が前記吸込チャンバー側を下方に向けて傾斜していることを特徴とするものであり、捕集部上面の空間を有効に活用することができるとともに、壁面にそって吸込口があるために捕集時において、背面の捕集が良化することができる。
【００５２】
本発明の請求項７は、請求項３〜６のいずれかに記載のレンジフードにおいて、前記ターボファンの主板に対する側板の側板角度と、水平面に対する前記シャフトの傾斜角度とが等しくなるように前記シャフト軸を傾斜したことを特徴とするものであり、前記吸込チャンバーの奥行寸法を増大させずにメンテナンス時においてファンを取り外し易くすることができる。
【００５３】
本発明の請求項８は、請求項１〜７のいずれかに記載のレンジフードにおいて、前記ファンをターボファンとし、前記ターボファンの吸込口と反対側に、前記ターボファンの主板に対し平行にした風路整流板を設けることを特徴とするものであり、前記ターボファンから吹出した空気を乱れなく流出口に導くため、圧力損失の低減と騒音の低減ができる。
【００５４】
本発明の請求項９は、請求項８に記載のレンジフードにおいて、前記風路整流板に開口を設け、前記ターボファンの後段に前記開口と連通する吐出チャンバーを配したことにより、前記ターボファンから直接前記流出部へ排気する第一排気経路とターボファンから前記吐出チャンバーを経由して前記流出部へ排気する第二排気経路を有することを特徴とするものであり、風路の拡大により動圧低下するため、風量−静圧特性の向上と騒音の低減ができる。
【００５５】
本発明の請求項１０は、請求項８に記載のレンジフードにおいて、前記風路整流板に開口を設け、前記ターボファンの後段に前記開口と連通する吐出チャンバーを配したことにより、排気経路として前記ターボファンから前記吐出チャンバーを経由して前記流出部へ排気する経路のみを有することを特徴とするものであり、前記ターボファンから吹出した油滴が前記流出口から吹出すまでに送風装置の内面に衝突し回収することができる。
【００５６】
本発明の請求項１１は、請求項１〜１０のいずれかに記載のレンジフードにおいて、前記吸込チャンバーと前記送風装置を含んで構成される送風ユニットの下部に傾斜面を設けたことを特徴とするものであり、前記送風装置の内部で回収された油滴を一箇所ないし複数箇所に集めることができる。
【００５７】
本発明の請求項１２は、請求項３〜１１のいずれかに記載のレンジフードにおいて、前記ターボファンの周囲に２箇所以上の舌部と吹出口をもつケーシングを設けたことを特徴とするものであり、前記ターボファンの静圧特性を向上しつつ、前記ターボファンから吹出した油滴が前記流出口から吹出すまでにケーシングの内面に衝突し回収することができる。
【００５８】
本発明の請求項１３は、請求項１〜１２のいずれかに記載のレンジフードにおいて、前記吸込壁を、前記流入口に近い吸込口平面と前記流出部に近づくにつれ風路が広がる拡大面とで構成したことを特徴とするものであり、風路の拡大により動圧低下するため、風量−静圧特性の向上と騒音の低減ができる。
【００５９】
本発明の請求項１４は、請求項１〜１３のいずれかに記載のレンジフードにおいて、前記吸込チャンバー内にファンの回転方向に湾曲する吸込ガイドをファンの外方に設けたことを特徴とするものであり、前記吸込チャンバーで発生している死水域を改善し、渦の低減をすることにより、風量−静圧特性の向上と騒音の低減ができる。
【００６０】
本発明の請求項１５は、請求項１〜１４のいずれかに記載のレンジフードにおいて、前記流入口の周囲に少なくとも一つの静翼部を設けたことを特徴とする前記流入口の周囲に少なくとも一つの静翼部を設けたことを特徴とするものであり、前記流入口上で発生する渦の場所を前記流入口より離れた場所に移動することにより、前記ターボファンとの干渉で発生している騒音を低減することができる。
【００６１】
本発明の請求項１６は、請求項９、１０または１２記載記載のレンジフードにおいて、前記ターボファンの後段に形成した吐出チャンバー内を少なくとも２つに分割する仕切部を設けたことを特徴とするものであり、前記吐出チャンバー内の流れを整流し、吐出チャンバー内の左右のバランスを良くすることにより、風量−静圧特性の向上ができる。
【００６２】
本発明の請求項１７は、請求項１１記載のレンジフードにおいて、前記傾斜面の下側になるように段差面を設けたことを特徴とするものであり、前記送風装置の内部で回収された油滴を一箇所ないし複数箇所に集めることができる。
【００６３】
本発明の請求項１８は、請求項１１記載のレンジフードにおいて、ターボファンからの動圧を出さないようにする動圧防止手段を備えたことを特徴とするものであり、ファンからの風漏れを少なくしつつ、送風装置の内部の油が円滑に送風装置外へ取り出すことができる。
【００６４】
本発明の請求項１９は、請求項１１記載のレンジフードにおいて、前記送風装置内の前記傾斜面と前記送風装置の下側外壁を連通するように配設した油抜き穴を有し、前記送風装置内に突出した前記油抜き穴は、前記ファンの回転方向に対し内壁側覆いを有したことを特徴とするものであり、ファンからの風漏れを少なくしつつ、送風装置の内部の油が円滑に送風装置外へ取り出すことができる。
【００６５】
本発明の請求項２０は、請求項１１記載のレンジフードにおいて、前記送風装置内の前記段差面と前記送風装置の下側外壁を連通するように配設した油抜き穴を有し、前記送風装置内に突出した前記油抜き穴は、前記ファンの回転方向に対し内壁側覆いを有したことを特徴とするものであり、ファンからの風モレを少なくしつつ、送風装置の内部の油が円滑に送風装置外へ取り出すことができる。
【００６６】
本発明の請求項２１は、請求項１９または２０記載のレンジフードにおいて、前記送風装置の外壁に備えた前記油抜き穴が、前記ファンの反回転方向に外壁側覆いを有したことを特徴とするものであり、ファンからの風モレを少なくしつつ、送風装置の内部の油が円滑に送風装置外へ取り出すことができる。
【００６７】
本発明の請求項２２は、請求項１９または２０記載のレンジフードにおいて、前記送風装置の外壁に備えた前記油抜き穴が、前記ファンの回転方向にガイドを有することを特徴とするものであり、ファンからの風モレを少なくしつつ、送風装置の内部の油が円滑に送風装置外へ取り出すことができる。
【００６８】
本発明の請求項２３は、請求項１９または２２記載のレンジフードにおいて、前記送風装置に対し油抜き部を着脱自在な構造としたことを特徴とするものであり、油抜き部のメンテナンスが容易に行うことができる。
【００６９】
本発明の請求項２４は、請求項１９または２２記載のレンジフードにおいて、着脱の回転方向が一方向となる前記油抜き部としたことを特徴とするものであり、油抜き部を意図した位置に取り付けることができる。
【００７０】
本発明の請求項２５は、請求項１〜１６記載のレンジフードにおいて、ターボファンの遠心方向に対し、転向角を大きくする吸込手段を備えたことを特徴とするものであり、
吸込チャンバー内での乱れを低減することにより、チャンバー内の油の付着を低減させつつ、風量−静圧特性、騒音特性を向上させることができるレンジフードを提供できる。
【００７１】
本発明の請求項２６は、請求項１〜１６記載のレンジフードにおいて、前記流入口に凸形状となる凸オリフィスを配設したことを特徴とするものであり、吸込チャンバー内での乱れを低減することにより、チャンバー内の油の付着を低減させつつ、風量−静圧特性、騒音特性を向上させることができるレンジフードを提供できる。
【００７２】
本発明の請求項２７は、請求項１〜１６記載のレンジフードにおいて、前記吸込壁の前記吐出チャンバー内に前記ファンの外径より大きい部分に円周状に凸部となる、戻り抑制部を配設したことを特徴とするものであり、ファンによって昇圧された送風装置内の空気が吸込チャンバーへ戻ることを低減させることにより、風量−静圧特性、騒音特性を向上させることができる。
【００７３】
本発明の請求項２８は、請求項２７記載のレンジフードにおいて、前記凸オリフィスと前記側板の間に前記側板に対し一定のクリアランスを保つ、漏れ抑制部を配設したことを特徴とするものであり、ファンによって昇圧された送風装置内の空気が吸込チャンバーへ戻ることを低減させることにより、風量−静圧特性、騒音特性を向上させることができる。
【００７４】
本発明の請求項２９は、請求項２８記載のレンジフードにおいて、前記漏れ抑制部の最下部に前記凸オリフィスと前記吐出チャンバーを連通する開口部を設けたことを特徴とするものであり、送風装置の内部で油が堆積することがないレンジフードを提供できる。
【００７５】
以下、本発明の実施の形態について図面を参照しながら説明する。
【００７６】
（実施の形態１）
図１は本発明のレンジフードの構成を示す側面断面図である。図２は本発明のレンジフードにおけるターボファンの側面断面図である。図３は本発明のレンジフードの構成を示す正面断面図である。図４は本発明のレンジフードの捕集性能を向上させるための側面断面図である。図５は本発明のレンジフードの捕集性能を向上させるための構成を示す正面断面図である。
【００７７】
図１に示すように、調理等で発生した廃ガス、油煙、水蒸気、臭気等を吸込む捕集部１と捕集部１の上面に吸込チャンバー２と、ファン３とモータ４を内蔵し板金など金属の箱体形状で構成された送風装置５と、吸込チャンバー２の下面には捕集部１で捕集された臭気などを吸込チャンバー２へ流入させるための吸込口６と、吸込チャンバー２と送風装置５を隔てる吸込壁７と、その吸込壁７にはファン３へスムーズに吸込ませるオリフィス形状とした流入口８と、送風装置５の上面も若しくは左右面の少なくとも１面に送風装置５により空気を排気させる流出口９と、この流出口９に室外と連通するために主として角丸形状となるアダプタ１０４とを備える。このアダプタ１０４は、室外へ排気する経路である丸形状等のダクトに接続できる形状とするものである。
【００７８】
吸込チャンバー２の形状として、吸込チャンバー２を構成する上面よりも、吸込口６のある下面の断面積が大きい。また、送風装置５の形状として、送風装置５を形成する下面よりも上面の断面積が大きい。モータ４は、モータ４の軸がレンジフード本体１０１の水平面に対し「傾斜角度」分だけ斜めになるように、送風装置５内に螺子等で堅固に取り付けられている風路整流板１４に固定されている。このため、ファン３も「傾斜角度」分だけ斜めになるように設置され、吸込壁７の流入口８も垂直面に対し「傾斜角度」分だけ斜めになるように設置されている。ファン３から吹出した空気は、直接流出口９へ流出する第一排気経路１５と風路整流板１４によって隔たれたファン３の流入口と反対側に形成された吐出チャンバー１６を経由して流出口９へ流出する第二排気風路１７で構成される。
【００７９】
図２に示すように、ファン３はターボファン１０で構成されており、ターボファン１０は、側板１１と主板１２に挟み込むようにブレード１３で構成されており、側板１１は主板１２の水平面に対し「側板角度」だけ傾斜している。この「傾斜角度」はターボファン１０の外径周囲の面積とターボファン１０の内径周囲面積が等しくなるように傾斜させ、通常は、１０°程度傾斜させていることが多い。この「側板角度」と等しくなるように、図１における「傾斜角度」を傾けている。このターボファン１０の外径は、アダプタ１０４の丸穴径よりも２倍以上かつファン３のモータ４の軸方向の幅は１／２以下となり、毎時１００ｍ３から毎時６００ｍ３の風量をモータ４で１３００ｒｐｍの回転数以下の駆動でじ実現している。
【００８０】
次に、風の流れを説明する。図１に示すように、モータ４に電圧を印加すると直結しているターボファン１０が駆動し、調理等で発生した廃ガス、油煙、水蒸気、臭気は負圧となった捕集部１より吸込まれる。捕集部１で吸込まれた気流は、吸込チャンバー２を介してオリフィス形状した流入口８よりターボファン１０に流入し、ターボファン１０により円周方向へ気流の向きを変え、ほぼ全周に均一に吹きだす。吹きだした気流は風路整流板１４に沿うように流れ、アダプタ１０４へ直接流入する第一排気経路１５と風路整流板１４から吐出チャンバー１６を通りアダプタ１０４へ流入する第二排気経路１７の空気がアダプタ１０４の近傍にて合流し、アダプタ１０４より排出される。ここで、吸込チャンバー２への吸込口６の断面積は、吸込チャンバー２の上面と下面の断面積を加算した面積の平均値よりも大きいため、流入する風速を低減し動圧が低減する。また、吸込口６から吸込チャンバー２の上面にいくにしたがって断面積が小さくなるが、吸込口６より流入した空気は、流入口８よりターボファン１０に流入するため、吸込チャンバー２内の風速は平均化し風速の変動による乱れが低減するために、風量−静圧特性、騒音特性を向上させることができる。また、送風装置５の流出口９の断面積は、送風装置５の上面と下面の断面積を加算した面積の平均値よりも大きいため、ターボファン１０からの流出する風速を低減し動圧が低減し、また、流出口９とアダプタ１０４とが有効に接続することできるため、送風装置５を最小限に小さくしつつ、風量−静圧特性、騒音特性を向上させることができる。
【００８１】
また、調理等で発生した油煙や水蒸気は、油滴となり送風装置５の内部に付着する。このとき、ターボファン１０に付着した油滴は、運転時においてターボファン１０の遠心力によりターボファン１０よりはじき飛ばされ、送風装置５内の壁面に付着し油滴の自重により送風装置５の下面に落ちる。また、モータ４に付着した油滴は、モータ４が「傾斜角度」によって傾いているため水平面が無く、モータ４に付着した油滴は自重により送風装置５の下面に落下する。また、アダプタ１０４の取り付け面は送風装置５の上面、左右面、若しくは背面のいずれかに配した形状としている。
【００８２】
次に、ターボファン１０のメンテナンスナンスに関して説明する。吸込壁７の全体若しくは、吸込壁７の一部でオリフィス形状である流入口８を含み、ターボファン１０のファン外径をモータ４のシャフト軸方向へ投影した面積より大きい部分を取り外し、ターボファン１０をモータ４より取り外す。このとき、ターボファン１０の側板１１と吸込チャンバー２の壁が平行となるため、ターボファン１０と吸込チャンバー２が干渉せずに取り出せ、しかも、吸込チャンバー２の奥行きを最小限にすることが可能となる。この吸込チャンバー２の奥行きが最小限になることにより、捕集部１上部の空間において吸込チャンバー２と送風装置５を除く空間が広くなり、給気用ファンのスペースや収納のスペースとして、この空間を有効に活用することが可能となる。ここで、図３に示すように、調理台１８の長手方向に吸込チャンバー２と送風装置５を配置し、捕集部１の中心よりキッチンの壁面となる捕集部１のサイド側に送風装置５を配置することによって、デザイン的なオープンキッチンや給気用ファンのスペースや収納のスペースとして、この空間を有効に活用することが可能となる。
【００８３】
また、図４は本発明のレンジフードの捕集性能を向上させるための側面断面図である。送風装置５の後方に吸込チャンバー２を配した形状となるため、キッチンの壁面をコアンダ効果によって引き寄せながら上昇してくる廃ガス、油煙、水蒸気、臭気等を効率良く吸込チャンバー２へ導入し、捕集効率を良化させるものである。ここで、図５に示すように、調理台１８の長手方向に吸込チャンバー２と送風装置５を配置し、捕集部１の中心よりキッチンの壁面となる捕集部１のサイド側に吸込チャンバー２を配置することによって、デザイン的なオープンキッチンや給気用ファンのスペースや収納のスペースとして、この空間を有効に活用することが可能となる。
【００８４】
上記構成により、捕集部１に送風装置５を組み込まないために薄型化にし、キッチンの収納スペースを確保しながらも、アダプタの取付面を限定せず、また、送風装置５内の圧力損失を最小限にすることにより気流のロスを減少させ、発生する騒音を低減し、送風装置５で油を回収するレンジフードを提供することができる。
【００８５】
（実施の形態２）
図６は本発明のレンジフードにおける油滴回収部の詳細を示す側面断面図である。図７は本発明のレンジフードにおける油滴回収構造を示す側面断面図である。図８は本発明のレンジフードにおけるケーシング付きのファン部分の正面断面図である。
【００８６】
図６に示すように、送風装置５の下面に傾斜面１９がついている。このため送風装置５の壁面にターボファン５より弾き飛ばされて付着した油滴は、送風装置５の壁面を伝わりながら送風装置５の下面に堆積し、しかも傾斜面１９により一箇所ないし複数箇所に集めることができ、調理等で発生した油をフィルター無しで回収することが可能となる。通常、回収された油滴は、オイルキャッチ等に堆積させ廃棄する。傾斜面１９の傾斜角度は、５°前後であり、通常油滴の流れる角度である１°以上の傾斜があれば、傾斜面１９とみなす。
【００８７】
また、図７に示すように、ターボファン１０から吐出した空気は、必ず吐出チャンバー１６を通すことにより、ターボファン１０から直接流出口９へ空気が流出しないため、送風装置５内での油滴の回収率が向上させることが可能である。実際ターボファン１０から直接流出口９へ流出する空気がある場合、約２０％の油滴がアダプタ１０４から流出するが、ターボファン１０から吐出した空気をすべて吐出チャンバー１６に通すことにより、油滴のアダプタ１０４から流出する割合が約５％以下にすることが可能となる。
【００８８】
また、図８に示すように、ターボファン１０に少なくとも２箇所以上の舌部２０と吹出口をもつケーシング２１を設けたことにより、ケーシング２１の内部の油滴付着を増やし、かつ風速を増加させることにより送風装置５内での油滴回収率を増加させつつ、静圧特性を向上することが可能となる。
【００８９】
上記構成により、送風装置５内での油滴回収率を増加させつつ、送風装置５の下面に一箇所ないし複数箇所に集めることができるレンジフードを提供することができる。
【００９０】
（実施の形態３）
図９は本発明のレンジフードの吸込チャンバー内を整流する構造を示す吸込チャンバー部分の正面断面図である。図１０は本発明のレンジフードの吸込壁を詳細に示す側面断面図である。図１１は本発明のレンジフードの吐出チャンバー内を整流する構造を示す吐出チャンバー部分の正面断面図である。
【００９１】
図９に示すように、吸込チャンバー２内にターボファン１０の回転方向に湾曲し、かつ流入口８からターボファン１０を見た場合に、ターボファン１０が右回転の時は吸込チャンバー２の左上面側、若しくはターボファン１０が左回転の時は吸込チャンバー２の右上面側に吸込ガイド２２を配設している。この吸込ガイド２２は、吸込チャンバー２の高さ方向の１／２の高さより下側に接し、吸込みチャンバー２の横方向の中心より外側で接していて、流入口８の外周側に最接近する形状としている。また、この吸込ガイド２２が流入口８の外周側に最接近する近傍で、かつ流入口８の外周側に静翼部２３を配設している。
【００９２】
図９に示すように、吸込チャンバー２内の空気の流れは、大半が流入口８に吸込まれていくが、ターボファン１０が右回転の時は吸込チャンバー２の左上面側、若しくはターボファン１０が左回転の時は吸込チャンバー２の右上面側は、死水域となり空気が流れにくくなり、大きなロスが発生する。この死水域に対し、あえて空間をなくすように吸込ガイド２２を配設することにより、ロスの低減と、吸込ガイド２２によりコアンダ効果により空気の流れが引き寄せられ、吸込口６から吸込チャンバー２に流入した空気が流入口８へ吸込まれ易くなる。また、流入口８付近で発生する渦を静翼部２３で制御することにより渦の中心が静翼部２３となり、渦とターボファン１０のブレード１３の回転による干渉で発生していた周波数の騒音レベルが低減できる。この周波数は、ターボファン１０の回転数とブレード１３の枚数を乗算した結果を６０で除算した値の周波数とその周波数の整数倍の周波数である。
【００９３】
図１０に示すように、吸込壁７をターボファン１０と平行となる吸込口平面２４と流出口９に近づくにつれ拡大する拡大面２５で構成された形状とする。この拡大面２５により、送風装置５内の風路が拡大するため流出口９での開口面積を有効にすることにより動圧の損失が低減し、かつ吸込チャンバー２内の死水域を低減し、かつ吸込チャンバー２と送風装置５の奥行きを最小限にすることにより捕集部１の上部の空間を広く使用することができる。
【００９４】
図１１に示すように、吐出チャンバー１６を少なくとも２分割するように仕切部２６を配した構造としたものである。この仕切部２６により吐出チャンバー１６内の左右の圧力バランスならびに空気の流れを整流させることにより吐出チャンバー１６の圧力損失を低減させ風量−静圧特性を向上させることができる。
【００９５】
上記構成により、吸込チャンバー２と送風装置５の空気の流れを整流させることにより、圧力損失を低減し風量−静圧特性を向上させつつ、騒音の発生を低減させ、吸込チャンバー２と送風装置５の奥行きを最小限にすることにより捕集部１の上部の空間を広く使用することができる。
【００９６】
（実施の形態４）
図１２は本発明のレンジフードにおける油滴回収構造の詳細を示す側面断面図である。図１３は本発明のレンジフードにおける油抜き穴の詳細を示す正面断面図である。図１４（ａ）は本発明のレンジフードにおける油抜き部の着脱を示す斜視図であり、図１４（ｂ）は、フランジＡのＸ−Ｘ’断面図であり、図１４（ｃ）は、フランジＢのＹ−Ｙ’断面図である。
【００９７】
図１２に示すように、傾斜面１９よりもさらに下側になるように油ダム部２７を配した構造となっている。この油ダム部２７により、送風装置５の壁面にターボファン１０より弾き飛ばされて付着した油滴は、送風装置５の壁面を伝わりながら送風装置５の下面に流れ、傾斜面１９より油ダム部２７へ堆積する。この油ダム部２７には、油抜き穴２８が配された構造となっており、この油抜き穴２８より送風装置５で回収され油ダム部２７に堆積した油を本体１０１より確実に排油することができる。
【００９８】
図１３に示すように、油抜き穴２８には、風ガイド２９が配設されている。この風ガイド２９は、油抜き穴２８のターボファン１０の回転方向で流れＡの上流側に位置する側にあり、ターボファン１０の吐出された風の流れＡにより油抜き穴２８が直接動圧を受けないため、送風装置５からの動圧による風漏れを少なくすることが可能となる。また、油抜き穴２８から一旦油下ガイド３０に油を落としつつ、油側ガイド３１によって静圧上昇にともなって油抜き穴２８から漏れる風を転向させ下側に向けることで横方向への油の飛散が少なくなり、油抜き穴２８に対し下方向に確実に油を排出することができる。
【００９９】
図１４（ａ）に示すように、油抜き穴２８、風ガイド２９、油したガイド３０と油側ガイド３１で構成された油抜き部３２にはフランジＡとフランジＢがあり、各々このフランジにはフランジ面に対し凸形状となる突起Ａ、突起Ｂを備えている。この突起Ａ，突起Ｂは、油ダム部２７もしくは、傾斜面１９に開けられた突起Ａおよび突起Ｂより大きい小孔と合致するようになっている。また、フランジＡのフランジ幅ＡとフランジＢのフランジ幅Ｂの幅はフランジ幅Ａ＜フランジ幅Ｂの関係になっているので、油ダム部２７もしくは、傾斜面１９に開けられた、フランジ幅Ａ＜フランジ開口Ａ＜フランジ幅Ｂ＜フランジ開口Ｂの関係を持つ、フランジ開口Ａおよびフランジ開口Ｂに各々フランジＡ、フランジＢを挿入することが可能となる。また、図１４（ｂ）に示すように、フランジＡのＸ−Ｘ’断面におけるＡＸとＡＸ’にはＡＸ＞ＡＸ’、図１４（ｃ）に示すように、フランジＢのＹ−Ｙ’断面におけるＢＹとＢＹ’にはＢＹ＜ＢＹ’の関係があり、フランジＣのＺ−Ｚ’断面にはＣＺ＝ＣＺ’の関係が有り、ＣＺ’の上点とＡＸ’の下点およびＣＺの上点とＢＹの下点との距離は油ダム部２７もしくは、傾斜面１９の板厚よりも大きく、フランジＣのＺ−Ｚ‘断面におけるＣＺの上点とＡＸの下点およびＣＺ’の上点とＢＹ’の下点との距離は油ダム部２７もしくは、傾斜面１９の板厚よりも小さい関係となっている。以上のことにより、油ぬき部３２は、油ダム部２７もしくは、傾斜面１９に開けられたフランジ開口Ａおよびフランジ開口Ｂに各々フランジＡ、フランジＢを挿入し、フランジＡのＡＸ’側、フランジＢのＢＹ側にのみ回転することが可能で、突起Ａ，突起Ｂは、油ダム部２７もしくは、傾斜面１９に開けられた突起Ａおよび突起Ｂより大きい小孔と合致するため、風ガイド２９がターボファン１０の回転方向で流れＡの上流側に位置する側に位置決めすることが可能となり、誤ってターボファン１０の反回転方向で流れＡの下流側に位置する側に付加し動圧の影響により漏れが多くなる間違いを無くすことが可能である。
【０１００】
（実施の形態５）
図１５は本発明のレンジフードにおけるオリフィス部分の詳細を示す側面断面図である。流入口８に凸オリフィス３３を配し、この凸オリフィス３３のターボファン１０側に、側板１１の内径よりも大きく、凸オリフィス３３の凸外径３４より小さい範囲内および、側板１１と凸オリフィス３３の間に介在するように漏れ抑制部３５を配している。この漏れ抑制部３５には、凸オリフィス３３と吐出チャンバー１６を連通させる開口部３６が凸外径３４の最下端にある。また、ターボファン１０の外径よりも大きく、吸込壁７と側板１１のクリアランスよりも小さい範囲内において、吸込壁７からモータ４のシャフト軸方向に立ち上げを有する戻り抑制部３７を配している。以上のことにより、圧力の高い吐出チャンバー１６より圧力の低い流入口８へ戻ろうとする空気は、戻り抑制部３７により遮断され、しかも漏れ抑制部３５により側板１１とのクリアランスが小さくなり、このクリアランスを通過させる圧損が大きくことにより漏れが少なくなる。これによって、吐出チャンバー１６からの風漏れがなくなるために、送風装置５の性能を向上することができるので、ある性能を満足させる時にはターボファン１０の出力を抑えることが可能である。
【０１０１】
また、凸オリフィス３３とすることでオリフィスからターボファン１０への転向角３８を大きくすることができ、側板１１側への流れをスムーズにすることができる。転向角３８とは、吸込壁７を沿って流入口８からターボファン１０へ流入、流出する時の、ターボファン１０の流入方向と流出方向を子午面断面でみたときの角度である。この転向角３８が小さいと流入した空気が側板１１で沿って流れにくくなり渦等が発生しロスとなる。この転向角３８を大きくすると渦を減少させることが可能なため、ターボファン１０のブレード１３全体で仕事をするので、風量−静圧特性、騒音特性を向上させることができる。転向角３８を大きくするには圧損がかからない程度の直管を設けるのが適切であるが、吸込チャンバー２の空間が取れない場合、凸オリフィス３３の凸高さとブレード１３のモータ４のシャフト軸方向の高さを同等程度にすると、圧損がかからない程度の直管と同様の効果が得られ、この凸オリフィス３３が有効となる。また、凸オリフィス３３内にたまった油を開口部３６から吐出チャンバー１６へ回収し、油抜き穴２８から本体１０１へ排出することができる。
【産業上の利用可能性】
【０１０２】
本発明にかかるレンジフードは、アダプタの取付面に制約を無くすことが可能で、風量−静圧特性、騒音特性を悪化させない、また、送風機器の薄型化ができ、本体をキッチンに設置した時に捕集部の上面空間を広くすることが可能、また、送風機器の内部で油滴を効率よく回収させることができるレンジフードとして有用である。
【図面の簡単な説明】
【０１０３】
【図１】本発明の実施の形態１の側面断面図
【図２】同ターボファンの側面断面図
【図３】同正面断面図
【図４】同捕集性能を向上させるための側面断面図
【図５】同捕集性能を向上させるための正面断面図
【図６】本発明の実施の形態２の側面断面図
【図７】同油滴回収構造を示す側面断面図
【図８】同ケーシング付きのファン部分の正面断面図
【図９】本発明の実施の形態３の吸込チャンバー部分の正面断面図
【図１０】同吸込壁の側面断面図
【図１１】同吐出チャンバーの側面断面図
【図１２】本発明の実施の形態４の油ダム部の側面断面図
【図１３】同油抜き部の正面断面図
【図１４】同油抜き部の斜視図
【図１５】本発明の実施の形態５の側面断面図
【図１６】従来のレンジフードの構造を示す側面断面図
【符号の説明】
【０１０４】
１    捕集部
２    吸込チャンバー
３    ファン
４    モータ
５    送風装置
６    吸込口
７    吸込壁
８    流入口
９    流出口
１０  ターボファン
１１  側板
１２  主板
１３  ブレード
１４  風路整流板
１５  第一排気経路
１６  吐出チャンバー
１７  第二排気経路
１８  調理台
１９  傾斜面
２０  舌部
２１  ケーシング
２２  吸込ガイド
２３  静翼部
２４  導入口平面
２５  拡大面
２６  仕切部
２７  油ダム部
２８  油抜き穴
２９  風ガイド
３０  油下ガイド
３１  油側ガイド
３２  油抜き部
３３  凸オリフィス
３４  凸外径
３５  漏れ抑制部
３６  開口部
３７  戻り抑制部
３８  転向角
１０１  本体
１０２  送風ユニット
１０３  外郭
１０４  アダプタ
１０５  整流板
１０６  傾斜面
１０７  側面板
１０８  水平部
１０９  傾斜部
１１０  吸気口
１１１  吸気流路
【図１】
2006125827.tif 000003
【図２】
2006125827.tif 000004
【図３】
2006125827.tif 000005
【図４】
2006125827.tif 000006
【図５】
2006125827.tif 000007
【図６】
2006125827.tif 000008
【図７】
2006125827.tif 000009
【図８】
2006125827.tif 000010
【図９】
2006125827.tif 000011
【図１０】
2006125827.tif 000012
【図１１】
2006125827.tif 000013
【図１２】
2006125827.tif 000014
【図１３】
2006125827.tif 000015
【図１４】
2006125827.tif 000016
【図１５】
2006125827.tif 000017
【図１６】
2006125827.tif 000018